【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
血液透析回路部品を保持するデバイスであって、
第１の部分と、前記第１の部分に隣接する第２の部分とを有する本体を備え、前記第１の部分は、チューブを保持するように構成された複数の窪みと、前記窪みの少なくとも１つに交差する第１の開口とを有し、前記第２の部分は、前記第２の部分の上縁に沿った第１のスロットと、前記第２の部分の側縁に沿った第２のスロットとを有し、前記第１および第２のスロットはそれぞれ、透析器の第１の取り付け具および第２の取り付け具を収容および保持することにより前記本体の所定の位置に透析器を保持するように構成されており、
透析装置のドアが閉じられたときに、そのドアと透析装置の主本体との間にデバイスが配置されうるように構成されている、デバイス。
【請求項２】
前記開口によって交差される前記窪みの少なくとも１つは、実質的に直線状の窪みである、請求項１に記載のデバイス。
【請求項３】
前記本体の前記第１の部分は、前記本体の前記第２の部分に対して窪んでいる、請求項１に記載のデバイス。
【請求項４】
前記本体の裏面から突出する少なくとも１つのガイドをさらに備え、前記ガイドは真っ直ぐな壁を有する、請求項１に記載のデバイス。
【請求項５】
前記ガイドの真っ直ぐな壁は、前記本体の前記第１の部分に隣接する、請求項４に記載のデバイス。
【請求項６】
前記窪みは半円形の窪みである、請求項１に記載のデバイス。
【請求項７】
前記窪みのうちの２つは直線状の窪みであり、その２つの直線状の窪みの間にある第２の開口をさらに備える、請求項１に記載のデバイス。
【請求項８】
前記第１の開口は円形であり、
前記第２の開口は矩形であり、
カセットは、テーパー部分を有する開口をさらに備え、前記テーパー部分を有する開口はデバイスの上縁に近接し、前記第２の開口はデバイスの下縁に近接し、前記第１の開口は、前記第２の開口と前記テーパー部分を有する開口との間にある、請求項７に記載のデバイス。
【請求項９】
前記本体上にあるチューブトラップをさらに備える、請求項１に記載のデバイス。
【請求項１０】
前記本体上にチューブを配置させるように構成されたフックをさらに備える、請求項９に記載のデバイス。
【請求項１１】
前記第１の部分までデバイスの縁から延びるスロットをさらに備える、請求項１に記載のデバイス。
【請求項１２】
前記複数の窪みの少なくとも１つに隣接するチューブロックをさらに備える、請求項１に記載のデバイス。
【請求項１３】
前記チューブロックは、２つの隣接する突起を備える、請求項１２に記載のデバイス。
【請求項１４】
第２の開口と、
前記第２の開口を横切って延びるクロスバーと、
前記クロスバーに隣接するチャンバーロックと
をさらに備える、請求項１に記載のデバイス。
【請求項１５】
前記第２の開口は、２つの平行な壁を有する部分と、テーパー部分とを有する、請求項１４に記載のデバイス。
【請求項１６】
前記第２の開口に隣接して、前記クロスバーおよび前記本体の第１の部分の反対側に対して平行に延びる安定器が存在する、請求項１５に記載のデバイス。
【請求項１７】
請求項１に記載のデバイスと、
前記本体の前記第２の部分の上縁に沿った前記スロットおよび前記本体の前記第２の部分の側縁に沿った前記スロットによって保持される透析器と
を備える組立体。
【請求項１８】
前記透析器は取り付け具を有し、前記取り付け具は、前記本体に係合することにより前記透析器を前記本体に押し付けてロックするタブを備える、請求項１７に記載の組立体。
【請求項１９】
請求項１に記載のデバイスであって、前記本体はループアダプタ窪みを形成し、前記ループアダプタ窪みを形成する前記本体の部分は開口を有することと、
前記ループアダプタ窪み内に設けられたループアダプタであって、前記ループアダプタ窪みを形成する前記本体の部分の前記開口に設けられたロックピンを備えるループアダプタと
を備える組立体。
【請求項２０】
前記デバイスは、前記ループアダプタ窪みに隣接するトラップを備え、
前記ループアダプタは、前記トラップによって保持される、請求項１９に記載の組立体。
【請求項２１】
複数のチューブであって、各チューブが前記複数の窪みのうちの１つの窪みの中にあることと、
前記複数のチューブのうちの１つのチューブに流体連通するカプセルと、
前記複数のチューブのうちの１つのチューブに流体連通する空気放出チャンバーと
をさらに備える、請求項１９に記載の組立体。
【請求項２２】
前記複数のチューブのうちの１つのチューブに流体連通する透析器をさらに備える、請求項２１に記載の組立体。
【請求項２３】
使用時に透析器の第１および第２の取り付け具が前記第１および第２のスロット内に配置されたとき、透析器が前記本体に掛けて設けられるように第１および第２のスロットが構成されている、請求項１に記載のデバイス。
【請求項２４】
使用時に透析器の第１および第２の取り付け具が前記第１および第２のスロット内に配置されたとき、透析器が前記本体の垂直軸と平行に配置されるように第１および第２のスロットが構成されている、請求項１に記載のデバイス。
【請求項２５】
前記第１のスロットは略Ｕ字形のスロットである、請求項１に記載のデバイス。
【請求項２６】
前記第２のスロットは略Ｕ字形のスロットである、請求項２５に記載のデバイス。
【請求項２７】
透析器の第１の取り付け具が前記第１のスロット内に配置されたとき、第１の取り付け具を中心にして透析器を回転することにより、透析器の第２の取り付け具を第２のスロットに挿入させることができるように第１および第２のスロットが構成されている、請求項１に記載のデバイス。
【請求項２８】
主本体と、
ドアであって、当該ドアの内面が前記主本体の表面に隣接するように、前記主本体に対して閉じられうるドアと、
前記ドアの内面から延在する部材と、
前記主本体上にある第１のセンサとを備え、前記部材は、前記ドアが閉じられたときに前記第１のセンサに隣接し、前記ドアおよび前記主本体は、前記ドアが閉じられたときに前記ドアと前記主本体との間に、血液透析回路部品を保持した請求項１に記載のデバイスが配置されうるように設けられている、血液透析システム。
【請求項２９】
前記部材は、前記ドアが閉じられたときに、前記血液透析回路部品を前記第１のセンサに押し付けるように構成されている、請求項２８に記載のシステム。
【請求項３０】
前記血液透析回路部品は、柔軟性の隔膜を有するカプセルを備える、請求項２８に記載のシステム。
【請求項３１】
前記血液透析回路部品は空気放出チャンバーを備える、請求項２８に記載のシステム。
【請求項３２】
前記血液透析回路部品はチューブを備える、請求項２８に記載のシステム。
【請求項３３】
前記部材は、前記ドアの内面に対して変位するようになっている、請求項２８に記載のシステム。
【請求項３４】
前記部材はばね装着部材である、請求項２８に記載のシステム。
【請求項３５】
前記第１のセンサは圧力変換器である、請求項２８に記載のシステム。
【請求項３６】
前記デバイスは、チューブと、膜を有するカプセルと、空気放出チャンバーとを保持する、請求項３５に記載のシステム。
【請求項３７】
前記ドアは、前記ドアが閉じられたときには前記デバイスを前記主本体に押し付けて保持するように、かつ、前記カプセルに圧力を加えるように構成され、前記圧力変換器が前記膜を通じて流体圧を測定することを可能にする、請求項３６に記載のシステム。
【請求項３８】
光センサの形式の第２のセンサを前記主本体上にさらに備え、前記デバイスが前記ドアと前記主本体との間に配置され、かつ、前記ドアが閉じられたときに、前記第２のセンサは、前記デバイスによって保持される空気放出チャンバーに隣接して配置される、請求項３５に記載のシステム。
【請求項３９】
前記主本体はポンプをさらに備える、請求項２８に記載のシステム。
【請求項４０】
前記ポンプは、血液透析回路部品を保持した前記デバイスから延びるチューブが自動的にポンプ上に装着されるように構成されている、請求項３９に記載のシステム。
【請求項４１】
前記主本体は、前記ポンプに隣接する窪んだ部分を有し、血液透析回路部品を保持した前記デバイスが前記ドアと前記主本体との間に配置され、かつ、前記ドアが閉じられたときに、前記窪んだ部分は、血液透析回路部品を保持した前記デバイスを収容するように構成されている、請求項３９に記載のシステム。
【請求項４２】
前記主本体の前記窪んだ部分の中にカセットが収容されたときに、血液透析回路部品を保持した前記デバイスから延びるチューブが動作可能に前記ポンプに結合しうるように、前記ポンプは設けられている、請求項４１に記載のシステム。